(57)【要約】      （修正有）【課題】デザイン性に優れ取り扱いが容易な光源一体型容器を提供する。【解決手段】透光性の容器本体部と、容器本体部に光源部１３を一体的に配置する。容器本体部は、開閉可能な蓋体１５を備え、光源部は、容器本体部の下部側に設ける。光源部は、ＬＥＤ素子を用いて光の色調の可変が可能であり、容器本体部には、透光性のオイルを用いて植物２が封入されているのが好ましい。【選択図】図１
0003221624.tif 000002
【実用新案登録請求の範囲】
【請求項１】
透光性の容器本体部と、前記容器本体部に光源部を一体的に配置してあることを特徴とする光源一体型容器。
【請求項２】
前記容器本体部は、開閉可能な蓋体を備えていることを特徴とする請求項１記載の光源一体型容器。
【請求項３】
前記光源部は、前記容器本体部の下部側に設けてあることを特徴とする請求項１又は２記載の光源一体型容器。
【請求項４】
前記光源部は、ＬＥＤ素子を用いたものであり、光の色調の可変が可能であることを特徴とする請求項１〜３のいずれかに記載の光源一体型容器。
【請求項５】
前記光源部は、木調のケース体に内蔵してあり、
前記蓋体は木調のキャップが取り付けられていることを特徴とする請求項２記載の光源一体型容器。
【請求項６】
請求項１〜５のいずれかの光源一体型容器を用いたものであり、容器本体部には、透光性のオイルを用いて植物が封入されていることを特徴とするインテリア器具。
【考案の詳細な説明】
【技術分野】
【０００１】
本考案は、各種インテリア器具として用いることができる容器に関する。
【背景技術】
【０００２】
発光ダイオード（ＬＥＤ：Ｌｉｇｈｔ  Ｅｍｉｔｔｉｎｇ  Ｄｉｏｄｅ）は、従来の電球に比べて発熱が小さく、省エネルギー，長寿命であるとともに、小型で色々な色調の光が得られることからインテリア用の商品にも採用されている。
【０００３】
例えば非特許文献１には、光源にＬＥＤを用いた天井吊り下げ灯本体が開示されている。
しかし、同意匠公報に開示する天井吊り下げ灯本体は、内部にキャンディ，草花，砂等を入れることができるものの、室内に飾るインテリア器具としては、自由度が低いものである。
【先行技術文献】
【非特許文献】
【０００４】
【非特許文献１】意匠登録第１３７３０２２号公報
【考案の開示】
【考案が解決しようとする課題】
【０００５】
本考案は、デザイン性に優れ取り扱いが容易な光源一体型容器の提供を目的とする。
また、このような容器を用いたインテリア器具の提供を目的とする。
【課題を解決するための手段】
【０００６】
本考案に係る光源一体型容器は、透光性の容器本体部と、前記容器本体部に光源部を一体的に配置してあることを特徴とする。
ここで容器本体部は、光源からの光が容器内に広がり、それが外部から見えるように透光材で成形された容器である。
例えば、ガラス容器，プラスチック容器であってよく、無色透明，有色透明，半透明であってよい。
容器本体部に光源部を一体的に配置してあるとは光源部が容器本体部に取り付けられていて、分離していないことをいう。
【０００７】
本考案において、容器本体部は内容物を封入できて取り扱いが容易になる点で、開閉可能な蓋体を備えていてもよい。
蓋体は、ネジ込みタイプ，嵌着タイプ等あってもよい。
【０００８】
本考案において、前記光源部は、前記容器本体部の下部側に設けてあってもよい。
このようにすると、光が容器本体部の底部側から照射されるので、容器内部が写し出されるようになる。
この場合に、前記光源部は、ＬＥＤ素子を用いたものであり、光の色調の可変が可能であるのが好ましい。
【０００９】
本考案に係る光源一体型容器は、容器本体部にいろいろな装飾品を入れ、下側から照らすことで建築物等の室内室間において置くインテリア器具として使用することができる。
この場合に、容器本体部に植物を入れ、オイルで満たしたハーバリウムとして用いることもできる。
ハーバリウムとは、容器本体部の中にドライフラワー，プリザーブドフラワー，アーティシャルフラワー等の花や実，植物等を入れ、シリコンオイル，ミネラルオイル等を満たしたものをいう。
このようなハーバリウムの底部から光源を照射すると、光がオイルにて屈折し、花等が生き生きとした表情になり、優れたインテリアとなる。
【００１０】
本考案において、容器本体部をハーバリウムとして用いる場合に封入された草花等の植物にコーディネートする目的で、容器本体部に一体的に設けた光源部は木調のケース体に内臓してあってもよく、また、蓋体も木調のキャップを取り付けることで金属製の蓋が外部から見えないように覆ってもよい。
ここで木調と表現したのは木製のみならず、樹脂材の表面に木調の外観を呈したものも含む趣旨である。
【考案の効果】
【００１１】
考案に係る光源一体型容器は、容器部と光源部を一体的に取り扱うことができることで、一体的なデザインに仕上げることもできるので、インテリア性に優れる。
また、容器本体部をハーバリウム等として使用した場合に、封入されている植物等が光に照らされることで室内室間を楽しむことができる。
【図面の簡単な説明】
【００１２】
【図１】本考案に係る光源一体型容器（インテリア器具）の構造例を示す。（ａ）は容器本体部及びケース体の断面図を示す。（ｂ）は外観図を示す、（ｃ）は蓋体の構造例を示す。
【図２】くつ型にデザインした容器の例を示す。
【図３】コップ型の容器の例を示す。
【考案を実施するための最良の形態】
【００１３】
本考案に係る光源一体型の容器の例と以下図に基づいて説明するが、本考案は、これに限定されない。
【００１４】
図１は、容器本体部をハーバリウムに用いたインテリア器具（インテリア商品）の例である。
容器本体部１１の底部１１ａ側にケース体２を一体的に嵌着してあり、容器本体部１１の上部側には、おねじ１１ｂを有する口部と、この部分に螺着する蓋体１４を有する。
蓋体１４には、外観が木調に仕上がるように、木製のキャップ１５の内側に凹部１５ａを形成し、蓋体１４にかぶせることができる。
また、図２に示すようにガラス等の透光性の材料を用いた蓋体１４ａにすることで、蓋体１４ａが光るようになっていてもよい。
容器本体部１１は、ガラス製の透明な容器になっていて、底部１１ａを下側への凸形状にし、ケース体１２の上部側に設けた凹部に嵌着することで一体化した例になっている。
ケース体１２は木製であり、下部側の中央部に切り抜き部１２ｂを形成し、光源部１３を内臓してある。
光源部１３には図示を省略したが、電池，スイッチ，光色の調整回路等が組み込まれていて、ＬＥＤ１３ａが点灯するようになっている。
【００１５】
図１に示した実施例は、容器本体部１１の中にドライフラワー（プリザーブドフラワー）２を入れ、シリコンオイル１で満たした例になっているが、容器にいれるものはこれに限定されない。
また、例えば図２に示すように、靴の形をデザイン化した容器本体部１１の底部にＬＥＤランプを嵌め込んでもよく、図３に示すようにコップ型の容器本体部１１に光源部１３を一体的に設けてもよい。
図３の場合には透明なジェルで植物を植えてもよく、そのようにすると植物等が光に照らされることになり、室内空間を楽しむことができる。
【符号の説明】
【００１６】
１１      容器本体部
１２      ケース体
１３      光源部
１４      蓋体
１５      キャップ
【図１】
0003221624.tif 000003
【図２】
0003221624.tif 000004
【図３】
0003221624.tif 000005